(57)【要約】【課題】テレビジョン受信装置において、ユーザが、視聴中の番組から目を離すことなく、現在視聴中の番組と他チャンネルの番組に対応するチャットメッセージの内容を容易に確認可能にする。【解決手段】ＴＶ受像機１は、入力されたチャットメッセージと、このチャットメッセージに関連付けられる地域情報及びチャンネル情報とをメッセージ管理サーバに送信する。また、ＴＶ受像機１は、メッセージ管理サーバに、チャットメッセージの送信命令と、地域情報とを送信して、この地域情報に関連付けられたチャットメッセージを受信する。液晶表示部１４の表示領域Ｄ１には、ユーザが視聴中のチャンネルのＴＶ番組の映像が表示され、表示領域Ｄ２には、視聴中のＴＶ番組に対応するチャットメッセージが表示される。表示領域Ｄ１１〜Ｄ１５のそれぞれには、ユーザが視聴していないチャンネルのＴＶ番組に対応するチャットメッセージが表示される。【選択図】図３
2013258613.tif 000002
【特許請求の範囲】
【請求項１】
放送局から配信されるテレビジョン番組を受信する番組受信手段と、
前記番組受信手段によって受信可能な複数のチャンネルのテレビジョン番組に対応するチャットメッセージを、該チャットメッセージを記憶するメッセージサーバから受信するメッセージ受信手段と、
前記番組受信手段によって受信されたテレビジョン番組の映像と、前記メッセージ受信手段によって受信された複数のチャンネルのテレビジョン番組に対応するチャットメッセージとを出力する出力手段とを備えるテレビジョン受信装置。
【請求項２】
前記メッセージ受信手段によって受信された前記複数のチャンネルのテレビジョン番組に対応するチャットメッセージの更新頻度を検出する更新頻度検出手段と、
前記更新頻度検出手段によって検出された更新頻度が第１の閾値以上であるチャットメッセージのテレビジョン番組を検出する番組検出手段とをさらに備えることを特徴とする請求項１に記載のテレビジョン受信装置。
【請求項３】
前記出力手段は、前記番組検出手段によって更新頻度が前記第１の閾値以上であるチャットメッセージのテレビジョン番組が検出されたときに、該検出されたテレビジョン番組に対応するチャットメッセージの文字色を現在の文字色から変更し、該チャットメッセージの文字の大きさを現在の大きさから変更し、該チャットメッセージを表示するためのメッセージ枠の大きさを現在の大きさから変更し、又は該チャットメッセージの表示順序を現在の表示順序から変更して、該チャットメッセージを出力することを特徴とする請求項２に記載のテレビジョン受信装置。
【請求項４】
放送局から配信されるテレビジョン番組を受信する第２の番組受信手段をさらに備え、
前記出力手段は、前記番組検出手段によって更新頻度が前記第１の閾値以上であるチャットメッセージのテレビジョン番組が検出されたときに、前記番組受信手段によって受信されたテレビジョン番組の映像と、前記メッセージ受信手段によって受信された複数のチャンネルのテレビジョン番組に対応するチャットメッセージとに加えて、前記第２の番組受信手段によって受信されたテレビジョン番組の映像を出力することを特徴とする請求項２又は３に記載のテレビジョン受信装置。
【請求項５】
前記出力手段は、前記更新頻度検出手段によって検出された更新頻度が第２の閾値以下であるときに、前記チャットメッセージを表示するためのチャットメッセージ表示枠の映像を出力しないことを特徴とする請求項２乃至４のいずれか一項に記載のテレビジョン受信装置。
【請求項６】
前記チャットメッセージを表示するためのチャットメッセージ表示枠の表示位置を設定するための表示枠位置設定手段をさらに備えることを特徴とする請求項１乃至５のいずれか一項に記載のテレビジョン受信装置。
【発明の詳細な説明】
【技術分野】
【０００１】
本発明は、テレビジョン放送を受信して出力可能なテレビジョン受信装置に関する。
【背景技術】
【０００２】
従来から、チャットメッセージを表示するテレビジョン（以下、ＴＶという）受像機が知られている（例えば、特許文献１参照）。このＴＶ受像機では、番組名、チャンネル、及びカテゴリなどに基づいて、ユーザが、所望のチャットグループに参加し、参加したチャットグループの参加者と互いにチャットメッセージの送受信を行う。ＴＶ受像機には、ユーザ及び参加者のチャットメッセージが表示されるため、ユーザは、ＴＶ番組を視聴しながら、このＴＶ番組を視聴中の他の参加者とチャットを行うことができる。
【先行技術文献】
【特許文献】
【０００３】
【特許文献１】特許第４５１５６３３号公報
【特許文献２】特開２００３−３４５７２９号公報
【発明の概要】
【発明が解決しようとする課題】
【０００４】
しかしながら、上記ＴＶ受像機では、ユーザは、視聴中のＴＶ番組についてチャットを行なっているときに、視聴していないＴＶ番組に対応するチャットメッセージを知ることができない。そのため、ユーザは不便を感じている。これに対して、ユーザが試聴中のＴＶ番組のチャットメッセージの代わりに、視聴していないＴＶ番組のチャットメッセージをＴＶ受像機に表示させながら、ＴＶ番組を視聴する方法も考えられるが、その場合、ユーザは、視聴中のＴＶ番組に対応するチャットメッセージを知ることができなくなるため、不便である。
【０００５】
上記問題に対して、特許文献２には、ユーザが視聴しているテレビ番組に関するテレビチャットを、同じテレビ番組を視聴している他のユーザとの間で行うためのパーソナルコンピュータと、ユーザが視聴しているテレビ番組に応じて、このユーザが他のユーザとの間でテレビチャットを行うためのテレビチャットサービスを提供するためのサーバとを備え、サーバは、ユーザが入力したユーザ個人情報を利用して行われる許可に応じてテレビチャットサービスを提供するテレビチャットシステムが開示されている。しかしながら、このテレビチャットシステムは、視聴していないテレビ番組のチャットメッセージを表示するものではないため、上記問題を解決できない。
【０００６】
本発明は、上述した問題点を解決するためになされたものであり、ユーザが、現在視聴中の番組から目を離すことなく、現在視聴中の番組と他チャンネルの番組に対応するチャットメッセージの内容を容易に確認可能なテレビジョン受信装置を提供することを目的とする。
【課題を解決するための手段】
【０００７】
上記目的を達成するために本発明のテレビジョン受信装置は、放送局から配信されるテレビジョン番組を受信する番組受信手段と、前記番組受信手段によって受信可能な複数のチャンネルのテレビジョン番組に対応するチャットメッセージを、該チャットメッセージを記憶するメッセージサーバから受信するメッセージ受信手段と、前記番組受信手段によって受信されたテレビジョン番組の映像と、前記メッセージ受信手段によって受信された複数のチャンネルのテレビジョン番組に対応するチャットメッセージとを出力する出力手段とを備えるものである。
【０００８】
上記構成においては、番組受信手段によって受信されたテレビジョン番組の映像と、メッセージ受信手段によって受信された複数のチャンネルのテレビジョン番組に対応するチャットメッセージとを出力する。これにより、ユーザは、現在視聴中のテレビジョン番組から目を離すことなく、現在視聴中のテレビジョン番組に対応するチャットメッセージの内容と、視聴していないテレビジョン番組（他チャンネルのテレビジョン番組）に対応するチャットメッセージの内容とを容易に確認できる。
【０００９】
前記テレビジョン受信装置は、前記メッセージ受信手段によって受信された前記複数のチャンネルのテレビジョン番組に対応するチャットメッセージの更新頻度を検出する更新頻度検出手段と、前記更新頻度検出手段によって検出された更新頻度が第１の閾値以上であるチャットメッセージのテレビジョン番組を検出する番組検出手段とをさらに備えることが望ましい。
【００１０】
上記構成においては、更新頻度が第１の閾値以上であるチャットメッセージのテレビジョン番組を検出することができる。そのため、例えば、更新頻度が第１閾値以上であると検出されたチャットメッセージのテレビジョン番組を出力することができるので、ユーザは、チャットメッセージが頻繁に更新されているテレビジョン番組に切り替える手間を低減することができるため、チャットメッセージの更新頻度が第１閾値以上であるテレビジョン番組を容易に視聴することができる。
【００１１】
前記テレビジョン受信装置は、前記出力手段は、前記番組検出手段によって更新頻度が前記第１の閾値以上であるチャットメッセージのテレビジョン番組が検出されたときに、該検出されたテレビジョン番組に対応するチャットメッセージの文字色を現在の文字色から変更し、該チャットメッセージの文字の大きさを現在の大きさから変更し、該チャットメッセージを表示するためのメッセージ枠の大きさを現在の大きさから変更し、又は該チャットメッセージの表示順序を現在の表示順序から変更して、該チャットメッセージを出力することが望ましい。
【００１２】
上記構成においては、更新頻度が第１の閾値以上であるチャットメッセージのテレビジョン番組に対応するチャットメッセージの文字色を変更したり、チャットメッセージの文字の大きさを変更したり、チャットメッセージを表示するためのメッセージ枠の大きさを変更したり、又はチャットメッセージの表示順序を変更したりして、チャットメッセージを出力する。そのため、ユーザは、チャットメッセージが頻繁に更新されている番組を容易に知ることができる。
【００１３】
前記テレビジョン受信装置は、放送局から配信されるテレビジョン番組を受信する第２の番組受信手段をさらに備え、前記出力手段は、前記番組検出手段によって更新頻度が前記第１の閾値以上であるチャットメッセージのテレビジョン番組が検出されたときに、前記番組受信手段によって受信されたテレビジョン番組の映像と、前記メッセージ受信手段によって受信された複数のチャンネルのテレビジョン番組に対応するチャットメッセージとに加えて、前記第２の番組受信手段によって受信されたテレビジョン番組の映像を出力することが望ましい。
【００１４】
上記構成においては、更新頻度が第１の閾値以上であるチャットメッセージの番組が検出されたときに、番組受信手段によって受信されたテレビジョン番組の映像と、メッセージ受信手段によって受信された複数のチャンネルのテレビジョン番組に対応するチャットメッセージとに加えて、第２の番組受信手段によって受信されたテレビジョン番組を出力する。そのため、ユーザは、視聴中のテレビジョン番組に加えて、更新頻度が第１の閾値以上であるチャットメッセージに対応するテレビジョン番組を、同時に視聴することができる。
【００１５】
前記出力手段は、前記更新頻度検出手段によって検出された更新頻度が第２の閾値以下であるときに、前記チャットメッセージを表示するためのチャットメッセージ表示枠の映像を出力しないことが望ましい。
【００１６】
上記構成においては、更新頻度が第２の閾値以下であるときに、チャットメッセージを表示するためのチャットメッセージ表示枠の映像を出力しないため、ユーザは、チャットメッセージが頻繁に更新されていない番組を容易に知ることができる。
【００１７】
前記テレビジョン受信装置は、前記チャットメッセージを表示するためのチャットメッセージ表示枠の表示位置を設定するための表示枠位置設定手段をさらに備えることが望ましい。
【００１８】
上記構成においては、ユーザは、チャットメッセージ表示枠の表示位置を設定できるため、使い勝手が良くなる。
【発明の効果】
【００１９】
本発明によれば、複数のチャンネルのテレビジョン番組に対応するチャットメッセージを出力するので、ユーザは、現在視聴中のテレビジョン番組から目を離すことなく、現在視聴中のテレビジョン番組に対応するチャットメッセージの内容と、視聴していないテレビジョン番組に対応するチャットメッセージの内容を容易に確認できる。
【図面の簡単な説明】
【００２０】
【図１】本発明の第１の実施形態に係るＴＶ受像機とメッセージ管理サーバとを含むネットワークシステムの概略図。
【図２】上記ＴＶ受像機の内部構成を示すブロック図。
【図３】上記ＴＶ受像機のチャットモード動作時における液晶表示部の表示を説明する図。
【図４】上記ＴＶ受像機のチャットモード動作時における液晶表示部の表示例を示す説明図。
【図５】上記ＴＶ受像機におけるチャットモード動作の変形例を示すフローチャート。
【図６】上記チャットモード動作における液晶表示部の表示の例を示す説明図。
【図７】上記ＴＶ受像機におけるチャットモード動作の手順の別の変形例を示すフローチャート。
【図８】本発明の第２の実施形態に係るＴＶ受像機の内部構成を示すブロック図。
【図９】上記ＴＶ受像機におけるチャットモード動作の手順の一例を示すフローチャート。
【図１０】上記ＴＶ受像機におけるチャットモード動作の手順の別の一例を示すフローチャート。
【図１１】上記チャットモード動作における液晶表示部の表示の例を示す説明図。
【発明を実施するための形態】
【００２１】
以下、本発明の第１の実施形態に係るテレビジョン受像機について、図１及び図２を参照して説明する。図１は、テレビジョン（以下、ＴＶ）受像機（テレビジョン受信装置）１ａ〜１ｅと、このＴＶ受像機１ａ〜１ｅとデータの送受信を行うメッセージ管理サーバ（メッセージサーバ）２とを含むネットワークシステム６０の概略構成を示す。図２は、ＴＶ受像機１の電気的ブロック構成を示す。なお、ＴＶ受像機１は、複数のＴＶ受像機１ａ〜１ｅの総称である。
【００２２】
ＴＶ受像機１ａ〜１ｅは、それぞれＷＡＮ８（Ｗｉｄｅ  Ａｒｅａ  Ｎｅｔｗｏｒｋ）に接続され、インターネットＮを介して、メッセージ管理サーバ２に対してチャットメッセージの送受信を行う。メッセージ管理サーバ２は、メッセージデータベース（以下、メッセージＤＢという）２ａを備える。メッセージＤＢ２ａには、地域情報及びチャンネル情報に関連付けられたチャットメッセージが記憶されている。すなわち、チャットメッセージを地域情報及びチャンネル情報に関連付けることによって、チャットメッセージを複数のチャンネルのＴＶ番組のそれぞれに対応させている。
【００２３】
ＴＶ受像機１ａ〜１ｅは、ユーザによって入力されたチャットメッセージと、このチャットメッセージに関連付けられる地域情報１８ｂ及びチャンネル情報とをメッセージ管理サーバ２に送信する送信処理を行う。また、ＴＶ受像機１ａ〜１ｅは、メッセージ管理サーバ２に、チャットメッセージの送信命令と、自装置に設定された地域情報１８ｂとを送信して、この地域情報１８ｂに関連付けられたチャットメッセージをメッセージ管理サーバ２から受信する受信処理を行う。ＴＶ受像機１ａ〜１ｅは、この送信処理及び受信処理を行うことにより、チャット機能をユーザに提供する。
【００２４】
メッセージ管理サーバ２は、ＴＶ受像機１ａ〜１ｅから送信されたチャットメッセージと、このチャットメッセージに関連付けられる地域情報１８ｂ及びチャンネル情報とをメッセージＤＢ２ａに記憶する。具体的には例えば、地域情報１８ｂが「大阪」、チャンネル情報が「４チャンネル」、チャットメッセージが「この商品が欲しい」という情報をメッセージＤＢ２ａに記憶する。
【００２５】
また、メッセージ管理サーバ２は、ＴＶ受像機１ａ〜１ｅからチャットメッセージの送信命令と地域情報１８ｂとを受信すると、メッセージＤＢ２ａに記憶されたチャットメッセージのうち、受信した地域情報１８ｂに関連付けられたチャットメッセージをＴＶ受像機１ａ〜１ｅに送信する。すなわち、メッセージ管理サーバ２は、ＴＶ受像機１ａ〜１ｅから受信した地域情報１８ｂに基づいて、この地域情報１８ｂに対応する地域で受信可能な複数のチャンネルのＴＶ番組のチャットメッセージをＴＶ受像機１ａ〜１ｅに送信する。
【００２６】
ＴＶ受像機１は、図２に示すように、アンテナ１１に接続され、デジタル放送信号を受信するチューナ部（番組受信手段）１２と、映像を表示する液晶表示部１４と、音声を出力するスピーカ１５とを備える。また、ＴＶ受像機１は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）接続部１６と、ネットワークインタフェース（メッセージ受信手段）１７と、メモリ１８と、入力信号受信部１９と、制御用マイコン（出力手段）１０とをさらに備える。
【００２７】
チューナ部１２は、デコーダ部１３を有し、アンテナ１１を介して放送局から配信される各チャンネルのデジタル放送信号を受信する。デコーダ部１３は、受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２８】
映像デコード回路は、映像信号を含むＴＳパケットに対して復号化処理を行い、映像信号を抽出し、抽出した映像信号を制御用マイコン１０に出力する。音声デコード回路は、音声信号を含むＴＳパケットに対して復号化処理を行い、音声信号を抽出し、抽出した音声信号を制御用マイコン１０に出力する。
【００２９】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００３０】
液晶表示部１４は、液晶表示パネル１４ａと、駆動回路１４ｂとを有する。駆動回路１４ｂは、映像信号処理回路１０ａから受信した映像信号に基づいて、液晶表示パネル１４ａを駆動するための駆動電圧を生成して、生成した駆動電圧を液晶表示パネル１４ａに印加する。液晶表示パネル１４ａは、駆動回路１４ｂから出力された駆動電圧に基づき、映像を表示する。
【００３１】
スピーカ１５は、音声信号処理回路１０ｂから受信した増幅後の音声信号を音声に変換して出力する。
【００３２】
ＨＤＭＩ接続部１６は、ＨＤＭＩケーブル（図示せず）が接続され、ＨＤＭＩケーブルを介して、ＢＤ（Ｂｌｕ−ｒａｙ  Ｄｉｓｃ）プレーヤ等の外部機器と接続される。ＨＤＭＩ接続部１６は、ＨＤＭＩケーブルを介して、外部機器から受信した映像信号及び音声信号を制御用マイコン１０に転送する。
【００３３】
ネットワークインタフェース１７は、インターネットＮに接続するためのＬＡＮ（Ｌｏｃａｌ  Ａｒｅａ  Ｎｅｔｗｏｒｋ）ケーブル（図示せず）が接続され、インターネットＮを介して、メッセージ管理サーバ２と各種の命令やデータの送受信を行う。具体的には例えば、ネットワークインタフェース１７は、インタ−ネットＮを介して、メッセージ管理サーバ２に、チャットメッセージの送信命令、ユーザによって入力されたチャットメッセージ、地域情報１８ｂ、及び視聴中のチャンネル情報を送信する。また、ネットワークインタフェース１７は、メッセージ管理サーバ２から送信されたチャットメッセージを受信し、受信したメッセージを、制御用マイコン１０に転送する。
【００３４】
メモリ１８は、制御用マイコン１０を動作させるためのプログラム１８ａと、地域情報１８ｂと、第１閾値（第１の閾値）１８ｃと、第２閾値（第２の閾値）１８ｄ等を記憶している。地域情報１８ｂは、例えば、ＴＶ受像機１が設置されている地域（例えば、「大阪」）が設定される。地域情報１８ｂは、ユーザによって任意の地域に設定可能である。第１閾値１８ｃ及び第２閾値１８ｄは、後述する番組検出部１０ｄによるチャットメッセージの更新頻度の検出処理に用いられる。第１閾値１８ｃ及び第２閾値１８ｄはそれぞれ、ユーザによって任意の閾値に設定可能である。
【００３５】
入力信号受信部１９は、リモコン装置（図３参照）４０から受信したリモコン信号（赤外線信号）を電気信号に変換して制御用マイコン１０に転送する。また、入力信号受信部１９は、キーボード装置（図３参照）５０から受信した無線信号を電気信号に変換して制御用マイコン１０に転送する。無線信号は、例えば、Ｂｌｕｅｔｏｏｔｈ（登録商標）規格に基づく信号である。
【００３６】
図３に示されるように、リモコン装置（表示枠位置設定手段）４０は、ユーザによって操作される複数の操作ボタンを有し、ユーザによって操作された操作ボタンに応じたリモコン信号をＴＶ受像機１に送信する。ユーザは、リモコン装置４０を操作することにより、チャンネルの選局や、チャットメッセージの入力や、チャットメッセージの送信指示を行うことができる。また、ユーザは、リモコン装置４０を操作することにより、後述するチャットメッセージ表示枠の表示位置を設定することができる。
【００３７】
キーボード装置（表示枠位置設定手段）５０は、ユーザによって操作される複数の操作キーを有し、ユーザによって操作された操作キーに応じた無線信号をＴＶ受像機１に送信する。ユーザは、キーボード装置５０を操作することにより、チャットメッセージの入力や、チャットメッセージの送信指示を行うことができる。また、ユーザは、キーボード装置５０を操作することにより、後述するチャットメッセージ表示枠の表示位置を設定することができる。
【００３８】
図２に示されるように、制御用マイコン１０は、映像信号処理回路１０ａと、音声信号処理回路１０ｂと、チャットメッセージ送受信部（メッセージ受信手段）１０ｃと、番組検出部（更新頻度検出手段、番組検出手段）１０ｄとを有し、ＴＶ受像機１の各部を制御する。制御用マイコン１０は、通常動作を行う通常動作モードや、チャットメッセージ及びＴＶ番組の映像を液晶表示部１４に表示させるチャットモード等の各種動作モードを有する。制御用マイコン１０は、ユーザによって選局が指示されたチャンネルのデジタル放送信号を受信するようにチューナ部１２を制御する。
【００３９】
映像信号処理回路１０ａは、通常動作モードで動作しているとき、デコーダ部１３から入力されたＴＶ番組の映像信号に対して、各種の信号処理を施して映像信号を生成し、生成した映像信号を、液晶表示部１４の駆動回路１４ｂに出力する。
【００４０】
また、映像信号処理回路１０ａは、チャットモードで動作しているとき、デコーダ部１３から入力されたＴＶ番組の映像と、メッセージ管理サーバ２から受信したチャットメッセージを表示するための映像とを含む映像信号に対して、各種の信号処理を施して映像信号を生成し、生成した映像信号を、液晶表示部１４の駆動回路２２に出力する。具体的には、映像信号処理回路１０ａは、チャットモードで動作しているとき、ＴＶ番組の映像を、アスペクト比を保ったまま縮小して表示させ、チャットメッセージを表示するための映像スペースを液晶表示部１４の画面上に確保する。そして、このスペースにメッセージ管理サーバ２から受信したチャットメッセージを表示させる。
【００４１】
また、映像信号処理回路１０ａは、外部機器からＨＤＭＩ接続部１６に入力される映像信号に対して、各種の信号処理を施して、液晶表示部１４の駆動回路１４ｂに出力することもできる。
【００４２】
音声信号処理回路１０ｂは、デコーダ部１３から入力されたＴＶ番組の音声信号に対して、ユーザによって設定された音量に基づく増幅を行ってスピーカ１５に出力する。また、音声信号処理回路１０ｂは、外部機器からＨＤＭＩ接続部１６に入力される音声信号に対して、ユーザによって設定された音量に基づく増幅を行ってスピーカ１５に出力する。
【００４３】
チャットメッセージ送受信部１０ｃは、ネットワークインタフェース１７を用いて、ユーザによって入力されたチャットメッセージを含む送信データをメッセージ管理サーバに送信する。送信データには、チャットメッセージと、チャットメッセージに関連付けられる視聴中のＴＶ番組情報（地域情報１８ｂ及びチャンネル情報）とが含まれる。
【００４４】
また、チャットメッセージ送受信部１０ｃは、ネットワークインタフェース１７を用いて、メッセージ管理サーバ２に、チャットメッセージの送信命令と地域情報１８ｂとを送信して、この地域情報１８ｂに関連付けられたチャットメッセージをメッセージ管理サーバ２から受信する。チャットメッセージ送受信部１０ｃは、チャットモードで動作しているときに、メッセージ管理サーバ２からチャットメッセージを受信する処理を定期的（例えば、３秒経過毎）に行う。
【００４５】
番組検出部１０ｄは、チャットメッセージ送受信部１０ｃによって受信されるチャットメッセージの更新頻度を検出し、検出した更新頻度が第１閾値１８ｃ以上であるチャットメッセージのＴＶ番組を検出する。具体的には、番組検出部１０ｄは、数十秒間や数分間等の所定の時間内に、あるＴＶ番組に対応するチャットメッセージの数が予め定めた第１閾値１８ｃ以上である場合、そのＴＶ番組を検出する。また、番組検出部１０ｄは、チャットメッセージ送受信部１０ｃによって受信されるチャットメッセージの更新頻度を検出し、検出した更新頻度が第２閾値１８ｄ以下であるか否かの検出も行う。
【００４６】
次に、チャットモード動作時における液晶表示部１４の表示について、図３を参照して説明する。図３は、チャットモード動作時における液晶表示部１４の各表示領域Ｄ１〜Ｄ３、Ｄ１１〜Ｄ１５を示す。表示領域Ｄ２、Ｄ３、Ｄ１１〜Ｄ１５は、請求項におけるチャットメッセージ表示枠である。
【００４７】
図３に示すように、表示領域Ｄ１には、ユーザによって選局されたチャンネルのＴＶ番組（以下、視聴中のＴＶ番組という）の映像が表示される。表示領域Ｄ２には、視聴中のＴＶ番組に対応するチャットメッセージが表示される。表示領域Ｄ３には、ユーザがリモコン装置４０やキーボード装置５０を用いて入力している（入力中の）チャットメッセージが表示される。表示領域Ｄ１１〜Ｄ１５のそれぞれには、ユーザが視聴していないチャンネル（以下、他チャンネルという）のＴＶ番組に対応するチャットメッセージが表示される。
【００４８】
次に、チャットモード動作時における液晶表示部１４の表示例について、図４を参照して説明する。図４は、チャットモード動作時における液晶表示部１４の各表示領域Ｄ１〜Ｄ３、Ｄ１１〜Ｄ１５の表示例である。ここでは、チャンネル１、３、４、６、８、１０が受信可能であるとする。また、ユーザがチャンネル１のＴＶ番組を視聴中であるものとし、チャンネル３、４、６、８、１０を視聴していないものとする。
【００４９】
表示領域Ｄ１には、視聴中であるチャンネル１（ＣＨ１）のＴＶ番組の映像が表示される。表示領域Ｄ２には、視聴中であるＣＨ１のＴＶ番組に対応するチャットメッセージが表示される。具体的には、表示領域Ｄ２には、『Ａさん：「月がキレイですね。」』、『Ｂさん：「私の家からも月が見えます。」』というチャットメッセージが表示される。表示領域Ｄ３には、ユーザによって入力中の「私も見えます」というチャットメッセージが表示される。このとき、ユーザがリモコン装置４０又はキーボード装置５０を操作して、送信を指示すると、「私も見えます」というチャットメッセージがメッセージ管理サーバ２に送信される。
【００５０】
表示領域Ｄ１１には、チャンネル３（ＣＨ３）のＴＶ番組に対応するチャットメッセージが表示され、表示領域Ｄ１２には、チャンネル４（ＣＨ４）のＴＶ番組に対応するチャットメッセージが表示される。表示領域Ｄ１３には、チャンネル６（ＣＨ６）のＴＶ番組に対応するチャットメッセージが表示され、表示領域Ｄ１４には、チャンネル８（ＣＨ８）のＴＶ番組に対応するチャットメッセージが表示される。表示領域Ｄ１５には、チャンネル１０（ＣＨ１０）のＴＶ番組に対応するチャットメッセージが表示される。図に示される例では、表示領域Ｄ１１〜Ｄ１５には、それぞれのチャンネルのＴＶ番組に対応するチャットメッセージのうち、最新のチャットメッセージのみが表示される。なお、ユーザは、最新のチャットメッセージを任意の数だけ表示させるように設定できる。
【００５１】
上述したように、本実施形態のＴＶ受像機１によれば、ユーザが視聴中のチャンネルのＴＶ番組の映像と、地域情報１８ｂに関連する複数のチャンネルのＴＶ番組に対応するチャットメッセージとが液晶表示部１４の同一画面に表示（出力）される。これにより、ユーザは、現在視聴中のＴＶ番組から目を離すことなく、現在視聴中のＴＶ番組に対応するチャットメッセージの内容と、視聴していないＴＶ番組に対応するチャットメッセージの内容とを容易に確認できる。また、ユーザは、リモコン装置４０やキーボード装置５０を用いて、図３に示した表示領域Ｄ２、Ｄ３、Ｄ１１〜Ｄ１５の表示位置を所望の表示位置に設定することができるため、ユーザにとって使い勝手が良くなる。
【００５２】
次に、上記ＴＶ受像機１におけるチャットモードの動作の変形例について、図５及び図６を参照して説明する。図５は、ＴＶ受像機１におけるチャットモードの動作の変形例を示すフローチャートである。
【００５３】
制御用マイコン１０は、チャットメッセージ送受信部１０ｃを用いて、地域情報１８ｂに関連するチャットメッセージをメッセージ管理サーバ２から受信する（Ｓ１）。そして、番組検出部１０ｄを用いて、受信した複数のチャンネルのＴＶ番組に対応するチャットメッセージのうち、更新頻度が第１閾値１８ｃ以上、又は第２閾値１８ｄ以下であるチャットメッセージのＴＶ番組を検出する（Ｓ２）。
【００５４】
上記Ｓ２の結果、更新頻度が第１閾値１８ｃ以上、又は第２閾値１８ｄ以下のＴＶ番組が検出された場合（Ｓ３でＹＥＳ）制御用マイコン１０は、更新頻度が第１閾値１８ｃ以上であるＴＶ番組に対応するチャットメッセージを強調して、液晶表示部１４に出力し（液晶表示部１４に強調表示する）、更新頻度が第２閾値１８ｄ以下であるＴＶ番組に対応するチャットメッセージ表示枠を表示しない（Ｓ４）。一方、上記Ｓ２の結果、更新頻度が第１閾値１８ｃ以上のＴＶ番組が検出されなかった場合（Ｓ３でＮＯ）、上記Ｓ１で受信したチャットメッセージを強調しないで表示する（Ｓ５）。
【００５５】
図６は、上記Ｓ４における液晶表示部１４の表示例を示す。ここでは、チャンネル３（ＣＨ３）のＴＶ番組に対応するチャットメッセージの更新頻度が第１閾値１８ｃ以上であるものとすると（上記Ｓ３でＹＥＳに相当）、制御用マイコン１０は、表示領域Ｄ１１に、他のチャットメッセージよりも大きなフォントサイズで、ＣＨ３のＴＶ番組に対応するチャットメッセージを強調して表示する（上記Ｓ４に相当）。なお、制御用マイコン１０は、表示領域Ｄ１１の背景のデザインを現在のデザインから変更したり、表示領域Ｄ１１のチャットメッセージの文字色を現在の文字色から変更したり、表示領域Ｄ１１のチャットメッセージの文字の大きさを現在の大きさから変更したりして表示してもよい。また、制御用マイコン１０は、表示領域Ｄ１１のチャットメッセージ枠の大きさを現在の大きさから変更したり、表示領域Ｄ１１〜Ｄ１５のうちの、表示領域Ｄ１１の表示順序を現在の表示順序から変更したりして表示してもよい。
【００５６】
上述したように、本変形例のＴＶ受像機１によれば、図５に示したように、更新頻度が第１閾値１８ｃ以上のＴＶ番組が検出された場合、更新頻度が第１閾値１８ｃ以上のＴＶ番組に対応するチャットメッセージが強調して液晶表示部１４に表示される。そのため、ユーザは、頻繁にチャットメッセージの内容が更新されているＴＶ番組を容易に知ることができる。また、チャットメッセージの更新頻度が第２閾値１８ｄ以下の場合、そのＴＶ番組に対応するチャットメッセージ表示枠を表示しないため、ユーザは、チャットメッセージが頻繁に更新されていないＴＶ番組を容易に知ることができる。
【００５７】
次に、ＴＶ受像機１におけるチャットモードの動作の変形例について、図７に示すフローチャートを参照して説明する。
【００５８】
制御用マイコン１０は、チャットメッセージ送受信部１０ｃを用いて、地域情報１８ｂに関連するチャットメッセージをメッセージ管理サーバ２から受信する（Ｓ１１）。そして、番組検出部１０ｄを用いて、受信した複数のチャンネルのＴＶ番組に対応するチャットメッセージのうち、更新頻度が第１閾値１８ｃ以上であるチャットメッセージのＴＶ番組を検出する（Ｓ１２）。
【００５９】
上記Ｓ１２の検出処理の結果、更新頻度が第１閾値１８ｃ以上のＴＶ番組が検出された場合（Ｓ１３でＹＥＳ）、制御用マイコン１０は、チューナ部１２を用いて、更新頻度が第１閾値１８ｃ以上のＴＶ番組を受信するようにチャンネルを切り替えて、この更新頻度が第１閾値１８ｃ以上のＴＶ番組を、液晶表示部１４に表示させる（Ｓ１４）。具体的には例えば、ユーザがチャンネル１を視聴中しているときに、チャンネル３の更新頻度が第１閾値１８ｃ以上であると検出された場合（上記Ｓ１３でＹＥＳに相当）、制御用マイコン１０は、チューナ部１２を用いて、チャンネル３を受信するように切り替えて、チャンネル３のＴＶ番組の映像を液晶表示部１４の表示領域Ｄ１に表示させる（上記Ｓ１４に相当）。
【００６０】
上述したように、本変形例のＴＶ受像機１によれば、図７に示したように、更新頻度が第１閾値１８ｃ以上のＴＶ番組が検出された場合、検出されたＴＶ番組がチューナ部１２によって受信されて液晶表示部１４に出力（表示）される。そのため、ユーザは、チャットメッセージが頻繁に更新されているＴＶ番組にチャンネルを切り替える手間を低減することができるので、このＴＶ番組を容易に視聴することができる。なお、本処理において、上記図５に示したように、チャットメッセージの更新頻度が第２閾値１８ｄ以下のＴＶ番組を検出したときに、そのＴＶ番組に対応するチャットメッセージ表示枠を表示しないように制御してもよい。
【００６１】
次に、本発明の第２の実施形態に係るＴＶ受像機について、図８を参照して説明する。本実施形態に係るＴＶ受像機１は、第２チューナ部（第２の番組受信手段）２２をさらに備えること以外は、上述した第１の実施形態に係るＴＶ受像機１と同様の構成である。本実施形態に係るＴＶ受像機１では、第１の実施形態と同じ構成を同じ符号で示し、その説明を省略する。
【００６２】
第２チューナ部２２は、第２デコーダ部２３を有し、アンテナ１１を介して、放送局から配信される各チャンネルのデジタル放送信号を受信する。第２チューナ部２２の構成は、チューナ部１２と同様であるため、その説明を省略する。制御用マイコン１０は、所定のチャンネルのデジタル放送信号を受信するように第２チューナ部２２を制御可能である。
【００６３】
次に、ＴＶ受像機１におけるチャットモードの動作について、図９乃至図１１を参照して説明する。図９及び図１０は、ＴＶ受像機１におけるチャットモードの動作の一例を示すフローチャートである。
【００６４】
図９に示すように、制御用マイコン１０は、チャットメッセージ送受信部１０ｃを用いて、地域情報１８ｂに関連するチャットメッセージをメッセージ管理サーバ２から受信する（Ｓ２１）。そして、番組検出部１０ｄを用いて、受信した複数のチャンネルのＴＶ番組に対応するチャットメッセージのうち、更新頻度が第１閾値１８ｃ以上であるチャットメッセージのＴＶ番組を検出する（Ｓ２２）。
【００６５】
上記Ｓ２２の結果、更新頻度が第１閾値１８ｃ以上のＴＶ番組が検出された場合（Ｓ２３でＹＥＳ）、制御用マイコン１０は、第２チューナ部２２を用いて、チャットメッセージの更新頻度が第１閾値１８ｃ以上のＴＶ番組を受信するようにチャンネルを切り替えて、第２チューナ部２２を用いて受信したＴＶ番組を液晶表示部１４にＰＩＰ（Ｐｉｃｔｕｒｅ  Ｉｎ  Ｐｉｃｔｕｒｅ）表示する（Ｓ２４）。
【００６６】
また、図１０に示すように、制御用マイコン１０は、チャットメッセージ送受信部１０ｃを用いて、地域情報１８ｂに関連するチャットメッセージをメッセージ管理サーバ２から受信する（Ｓ３１）。そして、番組検出部１０ｄを用いて、受信した複数のチャンネルのＴＶ番組に対応するチャットメッセージのうち、更新頻度が第２閾値１８ｄ以下であるチャットメッセージのＴＶ番組を検出する（Ｓ３２）。
【００６７】
上記Ｓ３２の結果、更新頻度が第２閾値１８ｄ以下のＴＶ番組が検出された場合（Ｓ３３でＹＥＳ）、制御用マイコン１０は、更新頻度が第２閾値１８ｄ以下であるＴＶ番組に対応するチャットメッセージ表示枠を表示しない（Ｓ３４）。なお、図９及び図１０の処理は、同時並行して行うことができる。
【００６８】
図１１は、上記Ｓ２４によって表示されるＴＶ番組のＰＩＰ表示の例である。ここでは、チャンネル３（ＣＨ３）のＴＶ番組に対応するチャットメッセージの更新頻度が第１閾値１８ｃ以上であるものとする。この場合、表示領域Ｄ１内の表示領域Ｐ１には、第２チューナ部２２を用いて受信されたＣＨ３のＴＶ番組の映像が表示される。すなわち、表示領域Ｄ１には、チューナ部１２によって受信されたＴＶ番組（ユーザが視聴中のＴＶ番組）の映像と、第２チューナ部２２によって受信されたＴＶ番組（チャットメッセージの更新頻度が第１閾値１８ｃ以上のＴＶ番組）のＰＩＰ映像とが表示される。そして、表示領域Ｄ１１〜Ｄ１５のそれぞれには、ユーザが視聴していないチャンネルのＴＶ番組に対応するチャットメッセージが表示される。
【００６９】
このように、本実施形態のＴＶ受像機１によれば、更新頻度が第１閾値１８ｃ以上であるチャットメッセージのＴＶ番組が検出されたときに、チューナ部１２によって受信されるＴＶ番組（視聴中のＴＶ番組）の映像と、ユーザが視聴中のＴＶ番組に対応するチャットメッセージと、ユーザが視聴していないチャンネルのＴＶ番組に対応するチャットメッセージに加えて、第２チューナ部２２によって受信されるＴＶ番組（チャットメッセージの更新頻度が第１閾値１８ｃ以上と検出されたＴＶ番組）の映像を液晶表示部１４に表示する。そのため、ユーザは、視聴中のＴＶ番組に加えて、視聴していないＴＶ番組のうち、更新頻度が第１閾値１８ｃ以上であるチャットメッセージに対応するＴＶ番組を同時に視聴することができる。なお、更新頻度が第１閾値１８ｃ以上であるチャットメッセージのＴＶ番組が複数検出された場合、ユーザが、検出された複数のＴＶ番組の中から、所望のＴＶ番組をＰＩＰ映像として表示するように選択できるようにしてもよい。
【００７０】
なお、本発明は、上記各実施形態の構成に限られず、発明の趣旨を変更しない範囲で種々の変形が可能である。例えば、上記各実施形態において、請求項に示す画像表示装置がＴＶ受像機である例を示したが、これに限られず、表示装置を備えない、セットトップボックス等のテレビジョン受信装置であってもよい。
【００７１】
また、ＴＶ受像機は、チャットモードで動作しているときに、外部機器から入力された外部コンテンツの映像と、メッセージ管理サーバから受信したチャットメッセージとを液晶表示部の同一画面に表示する構成であってもよい。その場合、更新頻度が所定の閾値以上であるチャットメッセージのＴＶ番組が検出されたときに、このＴＶ番組に対応するチャットメッセージを強調して表示してもよいし、このＴＶ番組を液晶表示部に表示するものであってもよい。
【００７２】
また、ＴＶ受像機は、チャットメッセージの更新頻度が所定の閾値以上である場合にはチャットメッセージ表示枠を表示し、更新頻度が所定の閾値未満である場合には、チャットメッセージ表示枠を表示しないものであってもよい。
【符号の説明】
【００７３】
１  ＴＶ受像機（テレビジョン受信装置）
２  メッセージ管理サーバ（メッセージサーバ）
１０  制御用マイコン（出力手段）
１０ｃ  チャットメッセージ送受信部（メッセージ受信手段）
１０ｄ  番組検出部（更新頻度検出手段、番組検出手段）
１２  チューナ部（番組受信手段）
１７  ネットワークインタフェース（メッセージ受信手段）
１８ｃ  第１閾値（第１の閾値）
１８ｄ  第２閾値（第２の閾値）
２２  第２チューナ部（第２の番組受信手段）
４０  リモコン装置（表示枠位置設定手段）
５０  キーボード装置（表示枠位置設定手段）
【図１】
2013258613.tif 000003
【図２】
2013258613.tif 000004
【図３】
2013258613.tif 000005
【図４】
2013258613.tif 000006
【図５】
2013258613.tif 000007
【図６】
2013258613.tif 000008
【図７】
2013258613.tif 000009
【図８】
2013258613.tif 000010
【図９】
2013258613.tif 000011
【図１０】
2013258613.tif 000012
【図１１】
2013258613.tif 000013